(57)【要約】【課題】  小型で簡単な装置を使用して種芋収納ホッパーの種芋を底部コンベアにスムーズに供給でき、装置全体を小型化できると共に製造コストが安上がりになるようにようにする。【解決手段】  種芋収納ホッパーと、種芋収納ホッパーの底部に設けれた底部コンベアとを備え、底部コンベアで種芋収納ホッパーの種芋を受けて外側に向けて搬送するようにした種芋供給装置であって、  種芋収納ホッパーの底板はホッパー本体に対して移動自在に支持されると共に、底部コンベアに向けて下降傾斜するように配置され、種芋収納ホッパー内の種芋を滑落すべく前記底板を往復移動させる往復動手段が設けられている。【選択図】図３
2010259368.tif 000002
【特許請求の範囲】
【請求項１】
種芋収納ホッパー（１）と、種芋収納ホッパー（１）の底部に設けれた底部コンベア（２）とを備え、底部コンベア（２）で種芋収納ホッパー（１）の種芋を受けて外側に向けて搬送するようにした種芋供給装置であって、
種芋収納ホッパー（１）の底板（１４）はホッパー本体（３３）に対して移動自在に支持されると共に、底部コンベア（２）に向けて下降傾斜するように配置され、種芋収納ホッパー（１）内の種芋を滑落すべく前記底板（１４）を往復移動させる往復動手段（３５）が設けられていることを特徴とする種芋供給装置。
【請求項２】
底板（１４）の下方に、底部コンベア（２）に向けて下降傾斜した受け台（２０）が設けられ、底板（１４）に複数の支持ローラ（３１）が下方突出され、底板（１４）は受け台（２０）の上面を移動自在となるように複数の支持ローラ（３１）を介して載置され、前記往復動手段（３５）は、底板（１４）を受け台（２０）の傾斜方向に押し引きするクランク機構（３６）と、クランク機構（３６）を駆動する駆動装置（３７）とを有していることを特徴とする請求項１に記載の種芋供給装置。
【請求項３】
受け台（２０）の上面に、前記複数の支持ローラ（３１）に対応して受け台（２０）の傾斜方向とは逆方向に傾斜した傾斜面（４９ａ）を有する傾斜凸部（４９）が設けられ、前記往復動手段（３５）よる底板（１４）の往復移動により、複数の支持ローラ（３１）が受け台（２０）の上面から傾斜凸部（４９）の傾斜面（４９ａ）に乗り上げて底板（１４）が上下動するように構成されていることを特徴とする請求項２に記載の種芋供給装置。
【請求項４】
底部コンベア（２）から種芋を受けて該種芋を外方に搬送する外部コンベア（３）が設けられ、外部コンベア（３）は、底部コンベア（２）の搬送側端部から外方に突出する搬送姿勢（Ｘ）と、底部コンベア（２）の搬送側端部から上方突出する収納姿勢（Ｙ）とに揺動自在に支持され、外部コンベア（３）を搬送姿勢（Ｘ）と収納姿勢（Ｙ）とに移動させる姿勢変更手段（５４）が設けられ、前記外部コンベア（３）の外端側に、外部コンベア（３）により外方側に送られた種芋を受けて下方に排出させる排出口（６１）と、外部コンベア（３）を揺動調整するための取っ手（６２）と、底部コンベア（２）の駆動装置（１６）をオンオフ操作するための第１スイッチ（６３）と、外部コンベア（３）の駆動装置（６０）をオンオフ操作するための第２スイッチ（６４）とが設けられていることを特徴とする請求項１〜３のいずれかに記載の種芋供給装置。
【発明の詳細な説明】
【技術分野】
【０００１】
本発明は、種芋供給装置に関するものである。
【背景技術】
【０００２】
トラックの荷台等に搭載される種芋供給装置には、種芋収納ホッパーと、種芋収納ホッパーの底部に設けられた底部コンベアとを備え、底部コンベアで種芋収納ホッパーの種芋を受けて外側に向けて搬送するようにしたものがあり（例えば特許文献１）、この種の従来の種芋供給装置は、ホッパーの底壁が底部コンベアに向けて下降傾斜するように種芋収納ホッパーを昇降シリンダ等の油圧装置によりダンプさせて、種芋収納ホッパー内の種芋を底部コンベアに供給し、外部コンベアで種芋を外方に搬送するようにしていた（例えば特許文献１）。
【先行技術文献】
【特許文献】
【０００３】
【特許文献１】特開２００８−２５３２００号公報
【発明の概要】
【発明が解決しようとする課題】
【０００４】
従って、従来では、種芋収納ホッパーをダンプさせるために、大きな油圧装置や発電機装置が必要になり、種芋供給装置全体が大型化し製造コストも高く付いた。
本発明は前記問題点に鑑みて、小型で簡単な装置を使用して種芋収納ホッパーの種芋を底部コンベアにスムーズに供給でき、装置全体を小型化できると共に製造コストが安上がりになるようにしたものである。
【課題を解決するための手段】
【０００５】
この技術的課題を解決する本発明の技術的手段は、種芋収納ホッパーと、種芋収納ホッパーの底部に設けれた底部コンベアとを備え、底部コンベアで種芋収納ホッパーの種芋を受けて外側に向けて搬送するようにした種芋供給装置であって、
種芋収納ホッパーの底板はホッパー本体に対して移動自在に支持されると共に、底部コンベアに向けて下降傾斜するように配置され、種芋収納ホッパー内の種芋を滑落すべく前記底板を往復移動させる往復動手段が設けられている点にある。
また、本発明の他の技術的手段は、底板の下方に、底部コンベアに向けて下降傾斜した受け台が設けられ、底板に複数の支持ローラが下方突出され、底板は受け台の上面を移動自在となるように複数の支持ローラを介して載置され、前記往復動手段は、底板を受け台の傾斜方向に押し引きするクランク機構と、クランク機構を駆動する駆動装置とを有している点にある。
【０００６】
また、本発明の他の技術的手段は、受け台の上面に、前記複数の支持ローラに対応して受け台の傾斜方向とは逆方向に傾斜した傾斜面を有する傾斜凸部が設けられ、前記往復動手段よる底板の往復移動により、複数の支持ローラが受け台の上面から傾斜凸部の傾斜面に乗り上げて底板が上下動するように構成されている点にある。
また、本発明の他の技術的手段は、底部コンベアから種芋を受けて該種芋を外方に搬送する外部コンベアが設けられ、外部コンベアは、底部コンベアの搬送側端部から外方に突出する搬送姿勢と、底部コンベアの搬送側端部から上方突出する収納姿勢とに揺動自在に支持され、外部コンベアを搬送姿勢と収納姿勢とに移動させる姿勢変更手段が設けられ、  前記外部コンベアの外端側に、外部コンベアにより外方側に送られた種芋を受けて下方に排出させる排出口と、外部コンベアを揺動調整するための取っ手と、底部コンベアの駆動装置をオンオフ操作するための第１スイッチと、外部コンベアの駆動装置をオンオフ操作するための第２スイッチとが設けられている点にある。
【発明の効果】
【０００７】
本発明によれば、種芋収納ホッパーの底板は底部コンベアに向けて下降傾斜されると共に、ホッパー本体に対して移動自在に支持され、種芋収納ホッパー内の種芋を滑落すべく底板を往復移動させる往復動手段が設けられているので、クランク機構や駆動モータ等の小型の簡単な装置を使用して、種芋収納ホッパーの種芋を底部コンベアにスムーズに供給することができる。しかも、従来のように種芋収納ホッパー全体を大きくダンプさせる必要がなくなり、種芋供給装置全体を小型化できると共に製造コストも安上がりになる。
【図面の簡単な説明】
【０００８】
【図１】本発明の一実施形態を示す種芋供給装置の正面図である。
【図２】同外部コンベアを搬送姿勢にした種芋供給装置の正面図である。
【図３】同種芋供給装置の側面図である。
【図４】同支持ローラが傾斜凸部の傾斜面に載った状態の供給装置の側面図である。
【図５】同支持ローラが受け台の上面に戻った状態の供給装置の側面図である。
【図６】同種芋供給装置の平面図である。
【発明を実施するための形態】
【０００９】
以下、図面に基づいて本発明の実施の形態を説明する。図１〜図６において、種芋供給装置は、種芋収納ホッパー１と、種芋収納ホッパー１の底部に設けられた底部コンベア２と、底部コンベア２から種芋を受けて該種芋を外方に搬送する外部コンベア３とを備える。トラック５の荷台６上に直方体形状の架台７が設置され、架台７に種芋収納ホッパー１と底部コンベア２と外部コンベア３とが支持されている。架台７の下部にフォークリフトの係合爪を挿入して、種芋供給装置をフォークリフトで持ち上げるためのフォークリフト受け８が固設されている。
【００１０】
種芋収納ホッパー１は、前壁１１と後壁１２と左右一対の側壁１３と底板１４とを有して長方形の箱形に形成されている。底部コンベア２は種芋収納ホッパー１の底部の前端側に左右方向に配置され、底部コンベア２は駆動ローラ２ａと複数の受けローラ２ｂと回転ベルト２ｃとを有し、駆動装置（駆動モータ）１６の回転駆動により駆動ローラ２ａを回転駆動して回転ベルト２ｃを回動させることにより、種芋収納ホッパー１から受けた種芋を左右方向の一端側（外側）に搬送するように構成されている。種芋収納ホッパー１内の底部コンベア２の上方に山形の規制板１７が設けられている。
【００１１】
種芋収納ホッパー１の底部の前壁１１と底部コンベア２との間には、前壁１１下端から底部コンベア２に向けて下方傾斜した底傾斜板１８が設けられ、種芋収納ホッパー１内の底部コンベア２より前側の種芋を底部コンベア２に向けて滑落させるようになっている。
底板１４の下方に、底部コンベア２に向けて下降傾斜した受け台２０が設けられ、受け台２０は、長さの異なる左右一対の第１支持脚２１と左右一対の第２支持脚２２と左右一対の第３支持脚２３とによりトラック５の荷台６上に支持されている。
底板１４は図６に示すように複数本の前後枠２５と前後一対の左右枠２６とからなる枠部材２７に固着され、枠部材２７に一対の支持ブラケット２９が複数組突設され、各一対の支持ブラケット２９間に支持ローラ３１が左右方向の横軸廻りに回転自在に支持され、これにより底板１４に複数の支持ローラ３１が下方突出されている。底板１４は受け台２０の上面を移動自在となるように複数の支持ローラ３１を介して載置され、これにより、底板１４は、前壁１１と後壁１２と左右一対の側壁１３とを備えるホッパー本体３３に対して移動自在に支持されると共に、底部コンベア２に向けて下降傾斜するように配置されている。
【００１２】
底板１４を往復移動させる往復動手段３５が底板１４の下方に設けられ、底板１４の往復移動によって種芋収納ホッパー１内の種芋を底部コンベア２に向けて滑落させるように構成されている。往復動手段３５は、底板１４を受け台２０の傾斜方向に押し引きするクランク機構３６と、クランク機構３６を駆動する駆動装置３７とを有している。駆動装置３７は駆動モータ又はエンジンにより構成されている。なお、駆動装置３７をエンジンにより構成した場合、回転数が高いため減速機が併用される。クランク機構３６は、左右方向の回転軸３９と左右一対のクランクシャフト４０と左右一対のクランクロッド４１と左右方向の固定軸４２とを有し、左右方向の回転軸３９は左右一対の第３支持脚２３の上端部に軸受け４３を介して軸心廻りに回転自在に支持され、回転軸３９の両端部にクランクシャフト４０が外嵌固着され、固定軸４２は枠部材２７の一対の前後枠２５間に支持ブラケット４５を介して連結固定され、左右一対のクランクロッド４１は、左右一対のクランクシャフト４０の偏心軸４４と固定軸４２の両端部とにそれぞれ連結されている。駆動装置３７は左右一対の第３支持脚２３を連結する連結杆４６に取り付けられ、回転軸３９に固設したスプロケット４７を介して回転軸３９を軸心廻りに回転駆動し、回転軸３９の回転により、クランクロッド４１が底板１４を枠部材２７と共に前後に押し引きするように構成されている。
【００１３】
受け台２０の上面に複数の支持ローラ３１に対応して受け台２０の傾斜方向とは逆方向に傾斜した傾斜面４９ａを有する傾斜凸部４９が設けられ、往復動手段３５よる底板１４の往復移動により、複数の支持ローラ３１が受け台２０の上面から傾斜凸部４９の傾斜面４９ａに乗り上げて底板１４が上下動するように構成されている。
架台７の前端部右側に左右一対の取付ブラケット５０が外側方に突設され、左右一対の取付ブラケット５０に外部コンベア３の基部が前後方向の支持軸５１廻りに揺動自在に支持され、これにより、外部コンベア３は、底部コンベア２の搬送側端部から外方に突出する搬送姿勢Ｘと、底部コンベア２の搬送側端部から上方突出する収納姿勢Ｙとに揺動自在に支持されている。
【００１４】
外部コンベア３を搬送姿勢Ｘと収納姿勢Ｙとに移動させる姿勢変更手段５４が外部コンベア３と種芋収納ホッパー１との間に設けられている。姿勢変更手段５４は、ウィンチ５５と滑車５６とワイヤ５７とを有し、滑車５６は外部コンベア３の先端部に前後方向の支軸廻りに回動自在に支持され、ウィンチ５５は外部コンベア３の中途部に設けられ、ワイヤ５７の一端は種芋収納ホッパー１の右側の前端部上端に連結されて滑車５６に巻回され、ワイヤ５７の他端側はウィンチ５５に巻回されており、ウィンチ５５の操作ハンドル５８を手動で回動操作することにより、外部コンベア３を搬送姿勢Ｘと収納姿勢Ｙとに姿勢変更できるようになっている。
【００１５】
外部コンベア３は駆動ローラ３ａと複数の受けローラ３ｂと回転ベルト３ｃとを有し、駆動装置（駆動モータ）６０の回転駆動により駆動ローラ３ａを回転駆動して回転ベルト３ｃを回動させることにより、底部コンベア２から種芋を受けて該種芋を外方に搬送するように構成されている。
前記外部コンベア３の外端側に、外部コンベア３により外方側に送られた種芋を受けて下方に排出させる排出口６１と、外部コンベア３を支持軸５１廻りに揺動調整するための取っ手６２と、底部コンベア２の駆動モータ１６をオンオフ操作するための第１スイッチ６３と、外部コンベア３の駆動モータ６０をオンオフ操作するための第２スイッチ６４と、往復動手段３５の駆動装置３７をオンオフ操作するための第３スイッチ６５とが設けられている。前記駆動モータ１６、駆動モータ６０及び駆動装置３７の動力源としてトラックのバッテリー等が使用される。
【００１６】
前記実施形態によれば、図３又は図４に２点鎖線の斜線で示す如く種芋収納ホッパー１内に種芋が収納される。この種芋収納ホッパー１内の種芋を図２に示す播種機ホッパー６６に供給する場合、ウィンチ５５を操作して図２に示す如く外部コンベア３を搬送姿勢Ｘにした後、駆動装置１６，６０を駆動させればよく、駆動装置１６，６０の駆動により、回転軸３９が回転してクランクロッド４１が固定軸４２を前後方向に押し引きし、図３及び図４に示すように複数の支持ローラ３１が受け台２０の上面から傾斜凸部４９の傾斜面４９ａに乗り上げ、図５に示すように傾斜凸部４９の傾斜面４９ａから受け台２０の上面に戻る往復動作を繰り返す。従って、底板１４が往復移動することにより種芋収納ホッパー１内の種芋の底部コンベア２に向けての滑落が促進される。また、底板１４が底板１４の傾斜方向と該傾斜方向とは異なる方向（逆方向）とに連続して往復移動し、底板１４の往復移動の方向が受け台２０の傾斜方向と傾斜凸部４９の傾斜面４９ａの傾斜方向との２種類あることによって種芋の滑落がより促進される。さらに、往復移動が受け台２０の傾斜面４９ａから傾斜凸部４９の傾斜面４９ａに切り換わるとき又は傾斜凸部４９の傾斜面４９ａから受け台２０の傾斜面４９ａに切り換わるときに、底板１４に衝撃が加わることによっても種芋の滑落がより促進される。
【００１７】
而して、種芋収納ホッパー１内の種芋が底部コンベア２にスムーズに供給される。また、駆動装置１６，６０の駆動により、種芋収納ホッパー１内の種芋を受けた底部コンベア２によって種芋が左右方向の一端側（外側）に搬送され、底部コンベア２からの種芋が外部コンベア３によって外方に搬送され、種芋が排出口６１から下方に排出されて播種機ホッパー６６に供給される。
そして、種芋収納ホッパー１の底板１４は底部コンベア２に向けて下降傾斜されると共に、ホッパー本体３３に対して移動自在に支持され、種芋収納ホッパー１内の種芋を滑落すべく底板１４を往復移動させる往復動手段３５が設けられているので、クランク機構３６や駆動モータ３７等の小型の簡単な装置を使用して、種芋収納ホッパー１の種芋を底部コンベア２にスムーズに供給することができ、種芋供給装置全体を小型化できると共に製造コストも安上がりになる。しかも、従来のように種芋収納ホッパー１をダンプさせることなく、底板１４を略一定の傾斜に保って往復移動させるので、種芋収納ホッパー１の種芋が一度に多量に底部コンベア２に供給されるようなことも少なくなり、種芋収納ホッパー１内の種芋を徐々にかつスムーズに播種機ホッパー６６等に供給することができるようになる。
【００１８】
また、底板１４の下方に、底部コンベア２に向けて下降傾斜した受け台２０が設けられ、底板１４に複数の支持ローラ３１が下方突出され、底板１４は受け台２０の上面を移動自在となるように複数の支持ローラ３１を介して載置され、前記往復動手段３５は、底板１４を受け台２０の傾斜方向に押し引きするクランク機構３６と、クランク機構３６を駆動する駆動装置（駆動モータ）とを有しているので、受け台２０の傾斜をうまく利用して、クランク機構３６及びこれを駆動する駆動モータによって、底板１４の傾斜方向にスムーズに往復移動させることができる。
【００１９】
なお、前記実施の形態では、底板１４が底板１４の傾斜方向と該傾斜方向とは異なる方向（逆方向）とに連続して往復移動するようにしているが、これに代え、底板１４を該底板１４の傾斜方向にのみ往復移動させるようにしてもよいし、また、底板１４を底板１４の傾斜方向ではなく上下、左右又は前後方向その他の方向に往復移動させるようにしてもよい。さらに、例えば、受け台２０に複数の凸部を設けておき底板１４を往復移動させる際に複数の凸部を乗り越えさせて底板１４に振動を与えるようにしてもよい。また、受け台２０を省略して、複数の支持脚等で底板１４を移動自在に支持するようにしてもよい。
【００２０】
また、前記実施の形態では、底板１４を往復移動させる往復動手段３５は、底板１４を受け台２０の傾斜方向に押し引きするクランク機構３６と、クランク機構３６を駆動する駆動装置３７とを有しているが、往復動手段３５はこのような構成に限定されず、例えばカムやおもりを使用した振動機構その他のより構成するようにしてもよい。
【産業上の利用可能性】
【００２１】
ポテトプランター等への種芋供給作業に利用できる。
【符号の説明】
【００２２】
１    種芋収納ホッパー
２    底部コンベア
３    外部コンベア
１４    底板
１６    駆動装置
２０    受け台
３１    支持ローラ
３５    往復動手段
３６    クランク機構
３７    駆動装置
４９    傾斜凸部
４９ａ  傾斜面
５４    姿勢変更手段
６０    駆動装置
６３    第１スイッチ
６４    第２スイッチ
【図１】
2010259368.tif 000003
【図２】
2010259368.tif 000004
【図３】
2010259368.tif 000005
【図４】
2010259368.tif 000006
【図５】
2010259368.tif 000007
【図６】
2010259368.tif 000008